(57)【要約】【課題】ロール紙が嵌め込まれる穴を有する収納容器であって、穴以外の領域において仕切板が切断されてしまったり、折れてしまったりすることなく、小型化を図る。【解決手段】ジャーナルロール６が嵌め込まれる仕切板３に、ジャーナルロール６の直径ｄに対して、ジャーナルロール６が嵌め込み可能となり、かつ、外形によってジャーナルロール６を支持可能となるような径を有する５つの領域５ａ〜５ｅが、１つの領域５ｅを中心として十文字形状に互いに連接されるような形状に形成された穴４を形成する。【選択図】　図２
2004051140.tif 000002
【特許請求の範囲】
【請求項１】
箱状の容器に、ロール紙が嵌め込まれる仕切板が前記容器の底面から所定の高さとなるように組み込まれて構成され、前記ロール紙を前記仕切板に嵌め込んで収納する収納容器において、
前記仕切板は、前記ロール紙の直径に対して、前記ロール紙が嵌め込み可能となり、かつ、外形によって前記ロール紙を支持可能となるような径を有する５つの領域が、１つの領域を中心として十文字形状に互いに連接されるような形状に形成された少なくとも１つの穴を有することを特徴とする収納容器。
【請求項２】
請求項１に記載の収納容器において、
前記穴は、前記ロール紙が嵌め込まれた場合に、嵌め込まれたロール紙が互いに接しないように、前記５つの領域の連接する領域間に、所定の長さを有する袖部を有することを特徴とする収納容器。
【請求項３】
請求項１に記載の収納容器において、
前記穴は、前記ロール紙が嵌め込まれた場合に、連接する領域に嵌め込まれたロール紙どうしが互いに接するような形状に形成されていることを特徴とする収納容器。
【発明の詳細な説明】
【０００１】
【発明の属する技術分野】
本発明は、円筒状の収納物を複数収納する収納容器に関し、特に、ロール紙を収納する収納容器に関する。
【０００２】
【従来の技術】
従来より、銀行等に設置されるＡＴＭのログ情報を記録しておくために、感熱紙がロール状に巻かれてなるＡＴＭ用ジャーナルロールが用いられている。
【０００３】
このようなＡＴＭ用ジャーナルロールにおいては、所定の収納容器に収納された状態で銀行等に納品され、ログ情報を記録した後、同一の収納容器に収納されて保管されている。
【０００４】
図５は、従来の、ＡＴＭジャーナルロールを収納する収納容器の一例を示す図であり、（ａ）は上面図、（ｂ）は（ａ）に示したＡ−Ａ’断面図である。
【０００５】
本従来例は図５に示すように、箱状の容器１０２に、１０個の円形状の穴１０４が所定のパターンで形成された仕切板１０３が容器１０２の底面から所定の高さとなるように組み込まれて構成されており、この１０個の穴１０４に円筒状のＡＴＭ用ジャーナルロールが１個ずつ嵌め込まれて収納される。なお、この仕切板１０３においては、打ち抜き工程により１０個の穴１０４が形成される。
【０００６】
【発明が解決しようとする課題】
上述したような収納容器においては、ＡＴＭジャーナルロールを納品するとともに、ＡＴＭジャーナルロールを収納、保管する用途にも用いられるため、できるだけ小型化を図ることが要求されている。
【０００７】
そこで、ＡＴＭジャーナルロールが１個ずつ嵌め込まれる穴どうしの間隔を狭めることにより収納容器の小型化を図ることが考えられるが、上述したように、ＡＴＭジャーナルロールが嵌め込まれる穴は打ち抜き工程により形成されるため、穴どうしの間隔があまり狭められると、穴以外の領域において仕切板が切断されてしまったり、折れてしまったりする虞れがある。
【０００８】
本発明は、上述したような従来の技術が有する問題点に鑑みてなされたものであって、ＡＴＭジャーナルロールが嵌め込まれる穴を有する収納容器であって、穴以外の領域において仕切板が切断されてしまったり、折れてしまったりすることなく、小型化を図ることができる収納容器を提供することを目的とする。
【０００９】
【課題を解決するための手段】
上記目的を達成するために本発明は、
箱状の容器に、ロール紙が嵌め込まれる仕切板が前記容器の底面から所定の高さとなるように組み込まれて構成され、前記ロール紙を前記仕切板に嵌め込んで収納する収納容器において、
前記仕切板は、前記ロール紙の直径に対して、前記ロール紙が嵌め込み可能となり、かつ、外形によって前記ロール紙を支持可能となるような径を有する５つの領域が、１つの領域を中心として十文字形状に互いに連接されるような形状に形成された少なくとも１つの穴を有することを特徴とする。
【００１０】
また、前記穴は、前記ロール紙が嵌め込まれた場合に、嵌め込まれたロール紙が互いに接しないように、前記５つの領域の連接する領域間に、所定の長さを有する袖部を有することを特徴とする。
【００１１】
また、前記穴は、前記ロール紙が嵌め込まれた場合に、連接する領域に嵌め込まれたロール紙どうしが互いに接するような形状に形成されていることを特徴とする。
【００１２】
（作用）
上記のように構成された本発明においては、箱状の容器に組み込まれた仕切板に、収納されるロール紙の直径に対して、ロール紙が嵌め込み可能となり、かつ、外形によってロール紙を支持可能となるような径を有する５つの領域が１つの領域を中心として十文字形状に互いに連接されるような形状に形成された穴が設けられており、この穴にロール紙が嵌め込まれることによりロール紙が収納されるので、穴以外の領域において仕切板が切断されてしまったり、折れてしまったりすることなく、収納容器の小型化が図られる。
【００１３】
また、ロール紙が穴に嵌め込まれた場合に、嵌め込まれたロール紙が互い接しないように、５つの領域の連接する領域間に所定の長さを有する袖部が設けられている場合は、ロール紙が感熱紙からなるものである場合等、互いに接触させることを回避したい場合に、ロール紙を互いに接触させずに収納することができる。
【００１４】
また、ロール紙が穴に嵌め込まれた場合に、連接する領域に収納されたロール紙どうしが互いに接するような形状に穴が形成されている場合は、収納容器のさらなる小型化が図られる。
【００１５】
【発明の実施の形態】
以下に、本発明の実施の形態について図面を参照して説明する。
【００１６】
（第１の実施の形態）
図１は、本発明の収納容器の第１の実施の形態を示す図であり、（ａ）は上面図、（ｂ）は（ａ）に示したＡ−Ａ’断面図である。
【００１７】
本形態は図１に示すように、箱状の容器２に、それぞれ５個のジャーナルロールが嵌め込まれる形状を有する２個の穴４が形成された仕切板３が容器２の底面から所定の高さとなるように組み込まれて構成されている。なお、この仕切板３においては、打ち抜き工程により２個の穴４が形成される。
【００１８】
図２は、図１に示した収納容器１にジャーナルロールが収納された状態を示す図である。
【００１９】
図２に示すように、本形態においては、仕切板３に形成された２個の穴４に円筒状のＡＴＭ用ジャーナルロール６がそれぞれ５個ずつ嵌め込まれて収納される。
【００２０】
ここで、仕切板３に形成された穴４の形状について詳細に説明する。
【００２１】
図２に示すように、仕切板３に形成される２つの穴４は、ジャーナルロール６の直径ｄに対して、ジャーナルロール６が嵌め込み可能となり、かつ、外形によってジャーナルロール６を支持可能となるような径を有する５つの領域５ａ〜５ｅが、１つの領域５ｅを中心として十文字形状に互いに連接されるような形状にそれぞれ形成されている。さらに、ジャーナルロール６が穴４に嵌め込まれた場合に、５個のジャーナルロール６が互い接しないように、５つの領域５ａ〜５ｅの連接する領域間には、所定の長さを有する袖部７ａ〜７ｄが形成されている。
【００２２】
上記のように構成された収納容器１にジャーナルロール６を収納する場合、穴４を形成する領域５ａ〜５ｅにジャーナルロール６を１個ずつ嵌め込むと、領域５ａ〜５ｅの外形によってジャーナルロール６が支持されるとともに、袖部７ａ〜７ｄによって、穴４に嵌め込まれたジャーナルロール６どうしが互いに接することがなくなる。
【００２３】
これにより、ジャーナルロール６が感熱紙からなるものである場合等、互いに接触させることを回避したい場合において、ジャーナルロール６を互いに接触させずに収納することができるとともに、袖部７ａ〜７ｄの長さを、領域５ａ〜５ｅに収納されたジャーナルロール６が互いに接しない状態における最短の長さとすれば、従来のものと比べて収納容器１の小型化を図ることができる。
【００２４】
（第２の実施の形態）
図３は、本発明の収納容器の第２の実施の形態を示す図であり、（ａ）は上面図、（ｂ）は（ａ）に示したＡ−Ａ’断面図である。
【００２５】
本形態は図２に示すように、箱状の容器１２に、それぞれ５個のジャーナルロールが嵌め込まれる形状を有する２個の穴１４が形成された仕切板１３が容器１２の底面から所定の高さとなるように組み込まれて構成されている。なお、この仕切板１３においては、打ち抜き工程により２個の穴１４が形成される。
【００２６】
図４は、図３に示した収納容器１１にジャーナルロールが収納された状態を示す図である。
【００２７】
図４に示すように、本形態においては、仕切板１３に形成された２個の穴１４に円筒状のＡＴＭ用ジャーナルロール１６がそれぞれ５個ずつ嵌め込まれて収納される。
【００２８】
ここで、仕切板１３に形成された穴１４の形状について詳細に説明する。
【００２９】
図４に示すように、仕切板１３に形成される２つの穴１４は、ジャーナルロール１６の直径ｄに対して、ジャーナルロール１６が嵌め込み可能となり、かつ、外形によってジャーナルロール１６を支持可能となるような径を有する５つの領域１５ａ〜１５ｅが１つの領域１５ｅを中心として十文字形状に互いに連接されるような形状にそれぞれ形成されている。また、この５つの領域１５ａ〜１５ｅは、ジャーナルロール１６が嵌め込まれた場合に、連接する領域に嵌め込まれたジャーナルロール１６どうしが互いに接するように連接されて形成されている。
【００３０】
上記のように構成された収納容器１１にジャーナルロール１６を収納する場合、穴１４を形成する領域１５ａ〜１５ｅにジャーナルロール１６を１個ずつ嵌め込むと、領域１５ａ〜１５ｅの外形によってジャーナルロール６が支持されるとともに、連接する領域に嵌め込まれたジャーナルロール６どうしによってもジャーナルロール６が互いに支持されることになる。
【００３１】
これにより、ジャーナルロール６が嵌め込まれる領域どうしが接する状態となり、収納容器１１の小型化を図ることができる。
【００３２】
なお、上述した実施の形態においては、仕切板に形成される穴の数を２つとしたが、その数は２つに限定されるものではなく、１つ以上であればよい。
【００３３】
また、上述した実施の形態においては、収納される収納物として、ジャーナルロールを例に挙げて説明したが、ロール状に巻き付けられたロール紙であれば、本発明を適用することができる。
【００３４】
【発明の効果】
以上説明したように本発明においては、箱状の容器に、ロール紙が嵌め込まれる仕切板が容器の底面から所定の高さとなるように組み込まれて構成され、ロール紙を仕切板に嵌め込んで収納する収納容器において、仕切板に、ロール紙の直径に対して、ロール紙が嵌め込み可能となり、かつ、外形によってロール紙を支持可能となるような径を有する５つの領域が、１つの領域を中心として十文字形状に互いに連接されるような形状に形成された少なくとも１つの穴が設けられているため、穴以外の領域において仕切板が切断されてしまったり、折れてしまったりすることなく、収納容器の小型化を図ることができる。
【００３５】
また、ロール紙が嵌め込まれた場合に、嵌め込まれたロール紙が互い接しないように、５つの領域の連接する領域間において所定の長さを有する袖部が設けられているものにおいては、ロール紙が感熱紙からなるものである場合等、互いに接触させることを回避したい場合に、ロール紙を互いに接触させずに収納することができる。
【００３６】
また、穴が、ロール紙が嵌め込まれた場合に、連接する領域に嵌め込まれたロール紙どうしが互いに接するような形状に形成されているものにおいては、収納容器のさらなる小型化を図ることができる。
【図面の簡単な説明】
【図１】本発明の収納容器の第１の実施の形態を示す図であり、（ａ）は上面図、（ｂ）は（ａ）に示したＡ−Ａ’断面図である。
【図２】図１に示した収納容器にジャーナルロールが収納された状態を示す図である。
【図３】本発明の収納容器の第２の実施の形態を示す図であり、（ａ）は上面図、（ｂ）は（ａ）に示したＡ−Ａ’断面図である。
【図４】図３に示した収納容器にジャーナルロールが収納された状態を示す図である。
【図５】従来の、ＡＴＭジャーナルロールを収納する収納容器の一例を示す図であり、（ａ）は上面図、（ｂ）は（ａ）に示したＡ−Ａ’断面図である。
【符号の説明】
１，１１　　収納容器
２，１２　　容器
３，１３　　仕切板
４，１４　　穴
５ａ〜５ｅ，１５ａ〜１５ｅ　　領域
６，１６　　ジャーナルロール
７ａ〜７ｄ　　袖部
【図１】
2004051140.tif 000003
【図２】
2004051140.tif 000004
【図３】
2004051140.tif 000005
【図４】
2004051140.tif 000006
【図５】
2004051140.tif 000007